(57)【要約】【課題】低コストでの製作ができ、かつその操作性にも優れたゴミ減容装置を提供する。【解決手段】適宜形状の外枠を形成し、該外枠内適所に押圧板をアームを介して上下傾斜移動可能に設け、該アームを作動させるための駆動源を外枠内に設けたことを特徴とする。【選択図】      図４
2006306615.tif 000002
【特許請求の範囲】
【請求項１】
適宜形状の外枠を形成し、該外枠内適所に押圧板をアームを介して上下傾斜移動可能に設け、該アームを作動させるための駆動源を外枠内に設けたことを特徴とするダストボックス用減容装置。
【請求項２】
適宜形状の外枠を形成し、該外枠内適所に押圧板をアームを介して上下移動可能に設け、該アームを作動させるための駆動源を外枠内に設けたことを特徴とするダストボックス用減容装置。
【発明の詳細な説明】
【技術分野】
【０００１】  この発明は、ダストボックス内のゴミ容積を減少させるいわゆる減容装置に関する。
【背景技術】
【０００２】  従来より、ダストボックス（ゴミ箱）内のゴミを減容する装置があるが、油圧にて板体を上下させ、この板体にてゴミを圧縮するものであり、本発明にて示すように、クランク機構を用いたゴミ減容装置は見当たらない。
【発明の開示】
【発明が解決しようとする課題】
【０００３】  前述のように、従来のゴミ減容装置は油圧にて板体を上下させる方式であるため、油をシリンダーなどのアクチュエータに送り込むための油圧装置が必要となって装置全体として大がかりなものとなり、高価であるとともにその操作性も十分なものではなかった。
本発明は、以上のような従来からのゴミ減容装置に関わる課題を解決するために発明されたもので、モーターとクランク機構を用いた簡便なるゴミ減容装置を提供することを目的としたものである。
【課題を解決するための手段】
【０００４】  課題を解決する手段として本発明は、外枠内にアームと押圧板および駆動源を設けてその主要部を構成した。
すなわち、適宜形状の外枠を形成し、該外枠内適所に押圧板をアームを介して上下移動もしくは上下傾斜移動可能に設け、該アームを作動させるための駆動源を外枠内に設ける。
本発明は以上の構成よりなるダストボックス用減容装置である。
【発明の効果】
【０００５】  本発明によれば、外枠内に押圧板とこの押圧板の移動を制御する各アームと、アーム作動のための駆動源を設けたので、従来のような油圧装置が不要であり、モーター駆動にてゴミを圧縮する装置のため、能率よく圧縮・減容することができる。また、押圧板をアームを介して上下もしくは上下・傾斜移動させる簡便な方式のため、低コストでの設置を可能とする新規かつ有用なる装置を提供することができる。
【発明を実施するための最良の形態】
【０００６】  以下、本発明の実施形態について説明する。
図において、１は外枠で、金属製の長方形板体を接合して四角枠状に形成され、その下部はやや前方に張り出している。２は背板で、外枠後部両側に固着される。３は添板で、外枠の両側下部に固着される細長小板である。４はモーターで、減速機構が内蔵されるとともに、使用者が選択した軸を組み込んでモーター軸５として用いるタイプのものである。
なお、このモーターは、外枠上部内面に取り付けられる一対のモーター取り付け板６に取り付けられる。７はフロント回転アームで、金属製の細長板体であってその両端近傍には貫通孔が穿設される。このフロント回転アームの一端は、貫通孔を介してモーター軸に固定され、他端は軸８に軸支される。９はフロントアームで、フロント回転アームと同様構成であるとともにその長さを変えて形成され、その一端には軸８が挿通され、他端は支軸１０に挿通される。この支軸は、上部を開放した箱形の押圧板１１の下部上面適所に適宜支持部材にて支持される。
１２はフロント回転アームと同形状のリア回転アームで、その一端は前記モーター軸に固定される。１３はフロントアームと同形状のリアアームで、リア回転アームの他端とリアアームの一端は軸１４に軸支され、リアアームの他端はフロント回転アーム同様に押圧板上に設けられる支軸１５に軸支される。
１６はセンター軸で、外枠中間位置にその両端にベアリングを介して架設される。
１７は略Ｌ形板状の制御アームで、両端に貫通孔を有し、その一端はセンター軸に固定され、他端は支軸１０に軸支される。
以上が、本発明の実施形態の一例である。【０００７】  次ぎに、本発明の作動機構について説明する。
図５は作動状態を簡略表現したものである。図中、フロント回転アームの一端とリア回転アームの一端はモーター軸に固定され、制御アームの一端はセンター軸に固定されるが、その他は互いに回動可能なる軸支構成である。
モーター回転にてフロント回転アームとリア回転アームはモーター軸とともにその関係位置を保ちつつ回転するが、フロントアームとリアアームは上記アームに対しその位置・角度を変えて移動する。しかし、制御アームはセンター軸を回転中心として回転し、制御アームの他端は支軸１０にて押圧板とともに移動する。従って、図５にて示すように、押圧板はダストボックス上方に傾斜して位置する状態から次第に下方へ移動するとともに、その傾斜角は減少してほぼ水平位置となる。そして、この水平を保ちながらさらに下方へと移動し、ゴミを圧縮しながらダストボックス内に下降する。
最下位置を過ぎると各アームによるリンク機構にて押圧板はその前方が上方へ移動しながら全体が上方へと移動してほぼ垂直状態となり、再び傾斜を浅くしながら水平へと移行しつつ全体が下降を始める。つまり、押圧板は傾斜角の変化と全体の上下が組み合わさった動きをくり返すこととなり、連続的にゴミを減容させることができる。
なお、制御アームが直線形状であると、その動きの中で支軸１５に当たる位置が存在するため、これを避けるために略Ｌ形状としている。
本発明の使用時は、まず押圧板を上方に位置させておき、ダストの入ったダストボックスを外枠内に押しこみ、アーム作動にて上記のごとく圧縮・減容が行われ、再び押圧板を上方に位置させてからこのダストボックスを取りだし、他のダストボックスを押し入れて減容し、このようにして多数のダストボックス内のダストを減容させることができる。
なお、本例では背板と添板を設けているので、押し入れるダストボックスの位置決めが容易である。また、図示を略したが、制御盤が外枠適所に付設され、結線によるモーターへの電力供給が行われ、スイッチ操作にてモーターのＯＮ・ＯＦＦを行うことができる。【０００８】  図６〜図８は本発明の他例を示すものである。
図において、２０は平板による押圧板で、その上方に適宜支持部材にてアーム２１が軸支され、軸２２を介して回転アーム２３が軸支連結される。この回転アームの他端はモーター軸５に固定される。また、押圧板の後方上面には細長板状の昇降板２４が固着立設される。この昇降板側部には適宜支持部材にて、ベアリングを内蔵したガイドローラー２５が軸支される。２６はガイド板で、断面コ字形の細長金属板体であってその開放部を内側に向けてその上端が外枠上部に固着され、ガイド板中間部は棒状のステー２７にて外枠内面に固着される。
本例は前例の簡易型で、モーター回転にて回転アームが回転し、この回転アームとアームによるクランク機構にて押圧板は昇降することとなるが、押圧板の水平を保つためにガイドローラーがガイド板内面に沿って昇降する機構を付設したもので、機能および使用法は前例同様である。
以上説明したように、本発明はモーターを用いるとともに、押圧板の連続的上下動にてゴミを圧縮し、減容するものであるため、油圧を用いた従来の減容装置に比べてその構成が簡略であり、低コストにて製作可能であるとともにその操作も容易であるなど種々の利点を有するゴミ減容装置を得ることができる。
なお、既述の例は本発明の一実施形態であり、近似の他の形状としてもよい。また、通常は外枠を床面に固定設置して使用される。
【図面の簡単な説明】
【０００９】
【図１】  本発明の平面図
【図２】  本発明の正面図
【図３】  本発明の右側面図
【図４】  本発明の内部機構説明図（右側面視）
【図５】  本発明の作動説明図
【図６】  本発明の別例における要部説明図（平面視）
【図７】  本発明の別例における構造説明図（右側面視）
【図８】  本発明の別例における構造説明図（正面視）
【符号の説明】
【００１０】１    外枠
２    背板
３    添板
４    モーター
５    モーター軸
６    モーター取り付け板
７    フロント回転アーム
８    軸
９    フロントアーム
１０  支軸
１１  押圧板
１２  リア回転アーム
１３  リアアーム
１４  軸
１５  支軸
１６  センター軸
１７  制御アーム
２０  押圧板
２１  アーム
２２  軸
２３  回転アーム
２４  昇降板
２５  ガイドローラー
２６  ガイド板
２７  ステー
２８  ダストボックス
【図１】
2006306615.tif 000003
【図２】
2006306615.tif 000004
【図３】
2006306615.tif 000005
【図４】
2006306615.tif 000006
【図５】
2006306615.tif 000007
【図６】
2006306615.tif 000008
【図７】
2006306615.tif 000009
【図８】
2006306615.tif 000010